(57)【要約】【課題】より容易にビューラーに着脱自在に取り付けることができ、取り付け時における安定性を確保できると共に、睫毛を効果的に且つ安定して整列、整毛させることができるビューラー用取り替えアダプター及び該取り替えアダプターを取り付けたビューラーの提供を課題とする。【解決手段】ビューラーに着脱自在に取り付けられるビューラー用取り替えアダプターで４００あって、該アダプター４００は、ビューラーの上下の挟持片１１０、１２０で睫毛を挟持する際に睫毛の間に分け入って睫毛を整える整毛部４１０と、該整毛部４１０を着脱自在に取り付けると共に自らは前記下挟持片１２０に着脱自在に取り付けられる基台部４２０とからなり、前記整毛部４１０は、上部が弧状に角取りされた扁平板状の整毛片４１１を複数個備えると共にその複数個が一定の間隔で弧形状となるように並列されている。【選択図】      図４
2010259539.tif 000002
【特許請求の範囲】
【請求項１】
ビューラーに着脱自在に取り付けられるビューラー用取り替えアダプターであって、該アダプターは、ビューラーの上下の挟持片で睫毛を挟持する際に睫毛の間に分け入って睫毛を整える整毛部と、該整毛部を着脱自在に取り付けると共に自らは前記下挟持片に着脱自在に取り付けられる基台部とからなり、前記整毛部は、上部が弧状に角取りされた扁平板状の整毛片を複数個備えると共にその複数個が一定の間隔で弧形状となるように並列されていることを特徴とするビューラー用取り替えアダプター。
【請求項２】
整毛部には、上面に複数個の整毛片を形成すると共に下面に嵌合用突片を形成した着座部を設け、基台部には、前記着座部を受け入れて着座させる着座部受け入れ凹部と、該着座部受け入れ凹部の底面に開孔されて前記嵌合用突片を嵌入させる嵌合用孔部とを設け、整毛部の着座部を基台部の着座部受け入れ凹部に嵌め込むと共に嵌合用突片を嵌合用孔部に嵌入させることで、整毛部と基台部とを着脱自在に一体化することを特徴とする請求項１に記載のビューラー用取り替えアダプター。
【請求項３】
整毛片は、少なくともその下半部が着座部よりも内側方向に突出して形成されると共に、下半部が着座部に対して略垂直方向に立設して形成されていることを特徴とする請求項２に記載のビューラー用取り替えアダプター。
【請求項４】
睫毛を上下の挟持片で挟み成形する成形部と、手で操作するための把持部と、前記成形部と前記把持部とを連結すると共に前記下挟持片を上下動自在とする連結機構部とから構成されるビューラーであって、前記下挟持片に、請求項１〜３の何れかに記載のビューラー用取り替えアダプターを着脱自在に取り付けてあることを特徴とするビューラー。
【発明の詳細な説明】
【技術分野】
【０００１】
本発明は、ビューラー用取り替えアダプター及び該ビューラー用取り替えアダプターを取り付けたビューラーに関する。
【背景技術】
【０００２】
ビューラー用取り替えアダプター及びビューラーに関して、本願出願人は下記特許文献１に示す発明を特許出願している。この特許文献１に示すビューラー用取り替えアダプターは、ビューラーに対して着脱自在に取り付けることができる。また睫毛を分散させて整えることができる。そしてこのアダプターを着脱自在に取り付けることができるビューラーは、睫毛を分散させて整えることができるメリットがある。
【先行技術文献】
【特許文献】
【０００３】
【特許文献１】特許第４１１９９４２号公報
【発明の概要】
【発明が解決しようとする課題】
【０００４】
しかしながら上記特許文献１に示すビューラー及びビューラー用取り替えアダプターでは、連結用部４２を用いてリングやコイルの睫毛整列手段４１を下挟持片１２に着脱自在に取り付ける構成であることから、睫毛整列手段４１の取り付け時における安定性に改良の余地があった。またコイルやリングが使用時に変形し易いという改良の余地があった。
【０００５】
そこで本発明は上記問題点を解決し、より容易にビューラーに着脱自在に取り付けることができ、取り付け時における安定性を確保できると共に、睫毛を効果的に且つ安定して整列、整毛させることができるビューラー用取り替えアダプター及び該取り替えアダプターを取り付けたビューラーの提供を課題とする。
【課題を解決するための手段】
【０００６】
上記課題を解決するため、本発明のビューラー用取り替えアダプターは、ビューラーに着脱自在に取り付けられるビューラー用取り替えアダプターであって、該アダプターは、ビューラーの上下の挟持片で睫毛を挟持する際に睫毛の間に分け入って睫毛を整える整毛部と、該整毛部を着脱自在に取り付けると共に自らは前記下挟持片に着脱自在に取り付けられる基台部とからなり、前記整毛部は、上部が弧状に角取りされた扁平板状の整毛片を複数個備えると共にその複数個が一定の間隔で弧形状となるように並列されていることを第１の特徴としている。
また本発明のビューラー用取り替えアダプターは、上記第１の特徴に加えて、整毛部には、上面に複数個の整毛片を形成すると共に下面に嵌合用突片を形成した着座部を設け、基台部には、前記着座部を受け入れて着座させる着座部受け入れ凹部と、該着座部受け入れ凹部の底面に開孔されて前記嵌合用突片を嵌入させる嵌合用孔部とを設け、整毛部の着座部を基台部の着座部受け入れ凹部に嵌め込むと共に嵌合用突片を嵌合用孔部に嵌入させることで、整毛部と基台部とを着脱自在に一体化することを第２特徴としている。
また本発明のビューラー用取り替えアダプターは、上記第２の特徴に加えて、整毛片は、少なくともその下半部が着座部よりも内側方向に突出して形成されると共に、下半部が着座部に対して略垂直方向に立設して形成されていることを第３の特徴としている。
また本発明のビューラーは、睫毛を上下の挟持片で挟み成形する成形部と、手で操作するための把持部と、前記成形部と前記把持部とを連結すると共に前記下挟持片を上下動自在とする連結機構部とから構成されるビューラーであって、前記下挟持片に、第１〜第３の何れかの特徴のビューラー用取り替えアダプターを着脱自在に取り付けてあることを第４の特徴としている。
【発明の効果】
【０００７】
請求項１に記載のビューラー用取り替えアダプターによれば、ビューラーに着脱自在に取り付けられるビューラー用取り替えアダプターであって、該アダプターは、ビューラーの上下の挟持片で睫毛を挟持する際に睫毛の間に分け入って睫毛を整える整毛部と、該整毛部を着脱自在に取り付けると共に自らは前記下挟持片に着脱自在に取り付けられる基台部とからなり、前記整毛部は、上部が弧状に角取りされた扁平板状の整毛片を複数個備えると共にその複数個が一定の間隔で弧形状となるように並列されているので、
整毛部により睫毛を整列させて綺麗に整えることができる。その際、整毛部はその各整毛片の上部が弧状に角取されているので、使用安全性が確保されると共に、使用者に安心感を与えることができる。
そして更に各整毛片は扁平板状であるので、その扁平板状の整毛片間に睫毛を一定の長さに亘って確実に保持（挟持）することができるので、睫毛の整列をより安定して一定方向に揃えることができる。
特に、整毛片は扁平ではあるが板状であるので、リングやコイルのように使用中に瞼に当たって揺動、変形するのを防ぐことができ、安定した整毛を行うことができる。
また各整毛片は、一定の間隔で弧状となるように並列されることで、各睫毛の生え際の曲線に沿った状態に当てがうことができる。これにより睫毛全体をバランスよく安定して整毛することができる。
勿論、整毛部と基台部は着脱自在であるので、何れか一方の消耗に応じて、消耗した方を取り替えることができる。また整毛片の大きさや並列間隙が異なる別の整毛部に取り替えて使用することができる。
また整毛部による整毛が完了した後等において、整毛部を取り外し、整毛を行うことなく基台部だけで睫毛のカールを行うことも可能であり、カールだけの操作も簡単に行うことができる。
【０００８】
また請求項２に記載のビューラー用取り替えアダプターによれば、上記請求項１に記載の構成による作用効果に加えて、整毛部には、上面に複数個の整毛片を形成すると共に下面に嵌合用突片を形成した着座部を設け、基台部には、前記着座部を受け入れて着座させる着座部受け入れ凹部と、該着座部受け入れ凹部の底面に開孔されて前記嵌合用突片を嵌入させる嵌合用孔部とを設け、整毛部の着座部を基台部の着座部受け入れ凹部に嵌め込むと共に嵌合用突片を嵌合用孔部に嵌入させることで、整毛部と基台部とを着脱自在に一体化するので、
分離自在とされた整毛部をその着座部で基台部の受け入れ凹部に嵌め込んで着座させることができると共に、前記着座部の底面に形成した嵌合突片で基台部の受け入れ凹部の底面に開口された嵌合用孔部に嵌めることで、基台部の嵌め込み着座状態を確実に、安定して保持することができる。特に、基台部は実際に上挟持片の当接を受けて睫毛を挟持する部材であるので、弾力性を有する軟質材で構成されるが、そのような弾力性のある軟質の基台部に対しても、前記整毛部の着座部と嵌合突片、及び基台部の着座部受け入れ凹部と嵌合用孔の組み合わせにより、整毛部を十分確実に安定して脱落することなく基台部に着座させ、一体化させることができる。
【０００９】
また請求項３に記載のビューラー用取り替えアダプターによれば、上記請求項２に記載の構成による作用効果に加えて、整毛片は、少なくともその下半部が着座部よりも内側方向に突出して形成されると共に、下半部が着座部に対して略垂直方向に立設して形成されているので、
整毛片による睫毛の整列、整毛を、より綺麗に、確実に安定して行うことができる。
即ち、降下してくる上挟持片から前記着座受け入れ凹部を退避させる必要があること、及び上挟持片が基台部を押接する影響で前記着座受け入れ凹部が変形することによる整毛部の位置変動を防ぐため、基台部の着座受け入れ凹部は、基台部のより外側（目から離れる方向）に後退して設ける必要がある。しかし、そのように後退した位置に着座受け入れ部を設けると、整毛部の着座部の位置も後退した配置となり、結果として、ビューラー使用時に各整毛片の位置が睫毛の付け根からより遠くに離れる傾向となり、睫毛の整列、整毛効果が薄れる。
請求項３に記載の構成によれば、整毛片の少なくともその下半部が着座部よりも内側方向に突出して形成されるので、その分だけ上挟持片の前面に接する方向に近づけることができると共に、整毛片を睫毛の付け根に近づけることができる。よって上挟持片との衝突を回避しつつ、より睫毛の付け根に近いところでの整列、整毛が可能となり、良好な整毛効果をあげることができる。
加えて、整毛片の上部を弧状に角取りして目から後退させる一方、整毛片の下半部については、これを着座部に対して略垂直方向に立設形成することで、睫毛をその付け根近くで確実に整毛片間に受け入れることができ、良好な整列、整毛を確保することができる。
【００１０】
また請求項４に記載のビューラーによれば、睫毛を上下の挟持片で挟み成形する成形部と、手で操作するための把持部と、前記成形部と前記把持部とを連結すると共に前記下挟持片を上下動自在とする連結機構部とから構成されるビューラーであって、前記下挟持片に、第１〜第３の何れかの特徴に記載のビューラー用取り替えアダプターを着脱自在に取り付けてあるので、
上挟持片とビューラー用取り替えアダプターを取り付けた下挟持片とにより睫毛の整列、整毛をしながら睫毛のカールを行うことができる。また古くなったビューラー用取り替えアダプターを、新しいものに取り替えて使用することができる。また必要に応じて、整毛片の大きさやピッチの異なる複数のビューラー用取り替えアダプターを選択して取り替え使用することができる。
【図面の簡単な説明】
【００１１】
【図１】本発明の実施形態に係るビューラーをやや上方から見た正面図である。
【図２】本発明の実施形態に係るビューラーの右側面図である。
【図３】本発明の実施形態に係るビューラーの成形部の拡大斜視図である。
【図４】本発明の実施形態に係るビューラーの成形部の拡大分解図である。
【図５】図３におけるＡ−Ａ線断面図である。
【図６】本発明の実施形態に係る取り替えアダプターを示す図で、（ａ）は全体斜視図、（ｂ）は分解斜視図である。
【図７】本発明の実施形態に係る整毛部の正面図である。
【図８】本発明の実施形態に係るビューラーの成形部の使用状態を示す拡大図である。
【発明を実施するための形態】
【００１２】
以下の図面を参照して、本発明の実施形態に係るビューラー用取り替えアダプター及び該取り替えアダプターを取り付けたビューラーを説明し、本発明の理解に供する。しかし、以下の説明は本発明の実施形態であって、特許請求の範囲に記載の内容を限定するものではない。
【００１３】
まず図１〜図５を参照して、本発明の実施形態に係るビューラー１について説明する。
ビューラー１は、睫毛を分散させた状態でカールさせるためのものである。このビューラー１は成形部１００と、把持部２００と、連結機構部３００と、取り替えアダプター４００とから構成される。
【００１４】
前記成形部１００は、睫毛を挟んでカール等に成形するためのものである。
この成形部１００は上挟持片１１０と、下挟持片１２０とから構成される。
【００１５】
前記上挟持片１１０は、ビューラー１を瞼に当てて位置決めする機能を有すると共に、下挟持片１２０と協同で睫毛を上側から挟むためのものである。この上挟持片１１０は、図３、図４に示すように、薄い板状の金属板で構成され、平面視において瞼と略同形状となるように中央部を外側に湾曲させた形状としてある。また中央部が高く両端にいくにしたがって低くなるように湾曲させた形状としてある。
なお、ここで及び以下の説明において、「外側」とは、ビューラー１使用に際して、瞼から遠ざかる方向を意味し、「内側」とは瞼に近づく方向を意味するものとする。
また上挟持片１１０は、その左右両端に突起片１１１を有し、該突起片１１１を後述の連結機構部３００の支持体３１０の嵌合穴３１１に嵌入させることで、該支持体３１０と連結される。
【００１６】
前記下挟持片１２０は、上挟持片１１０及び取り替えアダプター４００と協同で睫毛を下側から挟むためのものである。
この下挟持片１２０は、瞼と略同形状となるように中央部を外側に湾曲させた形状で、且つ上挟持片１１０の湾曲と略同一としてある。また中央部を高く両端にいくにしたがって低くなるように湾曲させた形状としてある。
このような構成とすることで、上挟持片１１０及び取り替えアダプター４００と協同して睫毛を効果的に挟みカールさせることが可能となる。
また図４、図５に示すように、下挟持片１２０は、外側突壁１２１と内側突壁１２２を有する凹字状の断面をもつ形状としており、取り替えアダプター４００を凹部に着脱自在に取り付けることができる。
このような構成とすることで、下挟持片１２０とそれに取り付けられた取り替えアダプター４００とを一体的に動かすことができる。
【００１７】
また下挟持片１２０は、その両端部に挿通孔１２３を有し、該挿通穴１２３に前記連結機構部３００の支持体３１０を挿通させてある。このような構成とすることで、下挟持片１２０を支持体３１０に沿わせて上下動させることができる。また下挟持片１２０の底部には、嵌入穴１２４（図４参照）を有し、該嵌入穴１２４に連動部材３２０の上端部を嵌入することで連動部材３２０を連結してある。
【００１８】
前記把持部２００は、ビューラー１を手で把持する部分である。把持部２００を操作することで、連結機構部３００を介して成形部１００を動かす。この把持部２００は、第１アーム２１０と、第２アーム２２０とから構成される。
【００１９】
前記第１アーム２１０は、主として上挟持片１１０を操作可能とするためのものである。第１アーム２１０は、下端部に指を通す指穴２１１を設けてあり、中途部にピン３３０を挿通させる挿通穴を有している。
なお本実施形態においては、第１アーム２１０は、スチール等の金属製線材を加工して支持体３１０と一体的に形成している。
【００２０】
前記第２アーム２２０は、連結機構部３００を介して、下挟持片１２０を操作可能とするためのものである。この第２アーム２２０は、その下端部に指穴２２１を有し、その上端部に連動部材３２０を連結させるための連結穴を有している。またその中途部にピン３３０を挿通させる挿通穴を有し、該挿通穴と第１アーム２１０に設けられた挿通穴とを合せた状態でピン３３０を挿通させることで、支持体３１０と連結される。よって第１アーム２１０は支持体３１０と１部材で形成されるところ、ピン３３０を支点として第１アーム２１０、第２アーム２２０を可動させることができる。
なお本実施形態においては、第２アーム２２０はスチール等の金属製線材を加工して形成している。
【００２１】
前記連結機構部３００は、成形部１００と把持部２００とを連結すると共に、下挟持片１２０を上下動自在とするためのものである。この連結機構部３００は、図１、図２に示すように、支持体３１０と、連動部材３２０と、ピン３３０とからなる。
【００２２】
前記支持体３１０は、上挟持片１１０と第１アーム２１０とを相互に連結させるためのものである。この支持体３１０は略Ｕ字状の形状をした１対の細長い棒状部材で構成され、既述したように、第１アーム２１０とは１部材で形成されている。また図３、図４に示すように、その上部に１対の嵌合穴３１１、３１１を有し、上挟持片１１０の左右両端に有する突起片１１１，１１１を該嵌合穴３１１、３１１に嵌合させることで、上挟持片１１０を連結させる。これにより第１アーム２１０に連動させて上挟持片１１０を可動させることができる。
なお本実施形態においては、支持体３１０はスチール等の金属製線材を加工して形成している。
【００２３】
前記連動部材３２０は、下挟持片１２０と第２アーム２２０とを相互に連結させるためのものである。この連動部材３２０は、図１に示すように、細長い棒状部材を下端で折り返して略Ｖ字状に構成してある。また、その折り返し部分が第２アーム２２０の上端部に設けてある連結穴に挿通されることで、第２アーム２２０と相互に連結される。更にその上端部を下挟持片１２０に設けてある嵌入穴１２４に嵌入させることで、下挟持片１２０と相互に連結される。
このように連動部材３２０により、下挟持片１２０と第２アーム２２０とが相互に連結されるので、第２アームがピン３３０を支点として可動させることで、下挟持片１２０を支持体３１０に沿わせて上下動させることができる。
なお本実施形態においては、連動部材３２０はスチール等の金属製線材をスチール等の金属製線材を加工して形成される。
【００２４】
次に図６〜図８も参照して、取り替えアダプター４００を説明する。
前記取り替えアダプター４００は、ビューラー１の下挟持片１２０に装着することで、睫毛のカール（癖付け）を行うと共に、睫毛を分散させて整列、整毛するためのものである。この取り替えアダプター４００は、整毛部４１０と、基台部４２０とから構成される。
【００２５】
前記整毛部４１０は、睫毛を上下の挟持片１１０、１２０で挟持する際に睫毛の間に侵入して睫毛を分散させ、整列、整毛するためのものである。この整毛部４１０は、図６、図７に示すように、整毛片４１１と、嵌合用突片４１２と、着座部４１３とから構成される。
【００２６】
前記整毛片４１１は、実際に睫毛の間に侵入して、睫毛を分散させ、整列、整毛させるためのものである。この整毛片４１１は、図５、図６に示すように、その上部が弧状に角取りされた扁平板状に形成されている。
整毛片４１１において、その上部４１１ａを弧状に角取りしているので、下挟持片１２０を上方に動かすことで上挟持片１１０との間で睫毛を挟む際、瞼に最初に当たることになる整毛片４１１の上部を、瞼や睫毛の生え際付近に対してソフトに（柔らかく）当接させることができる。また誤って操作した場合においても、目等を傷つけることを防止することができる。
【００２７】
また整毛片４１１は、扁平板状として厚みを有しているが、少なくとも整毛片４１１の内側（目に近い側）の側縁及び上部縁は、厚み方向に、角を除して、丸みを持たせた滑らかな曲面形状としている。
このような側縁や上部縁を厚み方向に丸みを持たせた曲面形状とすることで、整毛片４１１が睫毛の間に最初に分け入る際に、前記滑らかな曲面形状をもつ縁により睫毛をスムーズに整毛片４１１、４１１間に滑り込ませることができる。即ち、各整毛片４１１をスムーズに睫毛の間に侵入させることができる。また上部４１１ａの縁やその他の側縁を厚み方向に角のない滑らかな曲面形状とすることで、上記上部４１１ａを弧状に角取りしているのと相俟って、ビューラー使用時に瞼等を傷つけることを一層確実に防止することができる。
【００２８】
また図５に示すように、整毛片４１１の上部４１１ａのみを弧状とし、少なくとも下半部４１１ｂは着座部４１３に対して略垂直方向に立設された状態とすることで、整毛部４１０を基台部４２０に取り付けた際、整毛片４１１の下半部４１１ｂの睫毛の生え際よりの距離が長くなるのを防止することができる。よって後述する基台部４２０の台座部４２３と上挟持片１１０とで睫毛を挟んで癖付けする際、睫毛の左右へのブレを防止でき、挟持状態を維持し易くすることができる。よって一段と容易且つ確実に癖付けを行うことができる。また睫毛をその付け根近くで確実に整毛片４１１間に受け入れることができ、良好な整列、整毛を確保することができる。
また整毛片４１１の下半部４１１ｂが着座部４１３に対して内側方向に突出して設けられているので、その分だけ上挟持片１１０の前面に接する方向に近づけることができると共に、整毛片４１１を睫毛の付け根に近づけることができる。よって上挟持片１１０との衝突を回避しつつ、より睫毛の付け根に近いところでの整列、整毛が可能となり、良好な整毛効果をあげることができる。
また下面４１１ｃを広範囲に亘って台座部４２３と面接触させることができ、整毛片４１１を基台部４２０に安定させて取り付けることができる。
【００２９】
前記嵌合用突片４１２は、整毛部４１０を基台部４２０に着脱自在に嵌合して結合するためのものである。図５に示すように、この嵌合用突片４１２は内側に突出した引っ掛け部４１２ａを先端に有する略Ｌ字形状からなる。本実施形態においては、整毛片４１１、嵌合用突片４１２及び着座部４１３は一体成形されている。この嵌合用突片４１２を後述する基台部４２０の嵌合用孔部４２５に差し込み、引っ掛け部４１２ａを引っ掛け受け部４２５ａに係合させることで、整毛部４１０と基台部４２０とを着脱自在に一体化させることができる。
【００３０】
また嵌合用突片４１２は、整毛片４１１の中心よりも内側に設けられている。このような構成とすることで、整毛部４１０を基台部４２０に取り付けた際に、整毛片４１１の重心を内側に置くことができる。よって使用時において、整毛部４１０が外側に倒れることを防止することができる。
また図７に示すように、嵌合用突片４１２は、一定の間隔をもって複数個並列させて設けてある。このような構成とすることで、整毛部４１０の基台部４２０への取り付け強度を増すことができる。
【００３１】
前記着座部４１３は、整毛部４１０を基台部４２０に安定させた状態で取り付けるためのものである。着座部４１３の上面４１３ｂに整毛片４１１が、下面４１３ａに嵌合用突片４１２が、それぞれ一体成形されて設けられている。
図５、図６を参照して、この着座部４１３は、後述する基台部４２０の着座受け入れ凹部４２４に丁度収まる形状に構成されている。従って整毛部４１０を基台部４２０に取り付けた際、着座部４１３の下面４１３ａが着座部受け入れ凹部４２４の底面４２４ａと全面で接触することになる。これにより整毛部４１０を基台部４２０に一段と安定させた状態で取り付けることができる。
【００３２】
また着座部４１３は、平面視で、基台部４２０と略同一の円弧形状をなすように構成する。着座部４１３の下面４１３ａには、嵌合用突片４１２を一定の間隔をもって複数個並列させて、平面視で円弧形状になるようにして備えている。着座部４１３の上面４１３ｂには、同一長さの整毛片４１１を複数個並列させて、平面視で円弧形状に整列するように構成している。
前記複数個の各整毛片４１１は、１つの共通の曲率中心から放射状に配置されるように整列させている。
更に整毛部４１０は、平面視で円弧形状になされている他、正面視においても、中央部が高く、両端にいくにつれて低くなる円弧形状をなす。即ち、複数個が並列配置された整毛片４１１の全体の配置状態、着座部４１３、複数個が配置された嵌合用突片４１２の配置状態の何れもが、平面視と正面視とにおいて円弧状とされている。ここで円弧状とは、正確な円弧の他、正確な円弧以外の湾曲形状を含むものとする。
このような構成とすることで、図８に示すように、整毛部４１０を基台部４２０に取り付けた状態で、複数個の各整毛片４１１を、各睫毛の突出方向に沿う放射状に配置させ、且つ上瞼の睫毛の生え際の平面視及び正面視の湾曲形状に沿う湾曲形状に配置させることができる。従って容易、確実に睫毛を分散させ且つ綺麗に整列、整毛させることができる取り替えアダプター４００及びビューラー１とすることができる。
【００３３】
前記整毛部４１０の材質としては、プラスチック、ゴム等を用いることができる。
一方、前記基台部４２０は、いわゆるビューラー用替えゴムであり、弾力性のある軟質材からなる。基台部４２０は整毛部４１０よりも柔らかく、基台部４２０に整毛部４１０を着座させたときには、基台部４２０の形状が整毛部４１０の湾曲形状に合わせて変形し、平面視及び正面視で整毛部４１０と同じ湾曲形状となり、密着状態となる。
基台部４２０は下挟持片１２０に対して着脱自在に嵌め合わされる。
この基台部４２０は、図６（ｂ）に示すように、差し込み突部４２１と、差し込み溝部４２２と、台座部４２３と、着座部受け入れ凹部４２４と、嵌合用孔部４２５とから構成される。また図４に示すように、下挟持片１２０と略同一な円弧形状に形成されている。
【００３４】
前記差し込み突部４２１は、基台部４２０を下挟持片１２０に対して着脱自在に取り付けるためのものである。図５に示すように、この差し込み突部４２１を下挟持片１２０に嵌め合わすだけで、下挟持片１２０の円弧形状に沿って基台部４２０が下挟持片１２０に取り付けられる。
【００３５】
前記差し込み溝部４２２は、差し込み突部４２１と協同して基台部４２０を下挟持片１２０に対して着脱自在に取り付けるためのものである。図５に示すように、差し込み突部４２１が下挟持片１２０に嵌め合わされた際、差し込み溝部４２２が下挟持片１２０の外側突壁１２１に同時に差し込まれることで、基台部４２０を一段と安定し且つ強固に下挟持片１２０に取り付けることができる。また基台部４２０を下挟持片１２０から取り外す際には、差し込み溝部４２２を形成する外側突片４２２ａを起点として基台部４２０を取り外すことができる。
【００３６】
前記台座部４２３は、基台部４２０が下挟持片１２０に取り付けられる際、上挟持片１１０と協同して睫毛を挟む台座となるものである。
図８に示すように、取り替えアダプター４００を取り付けたビューラー１において、台座部４２３は、上挟持片１１０と噛み合う位置に配置され、且つ整毛部４１０は上挟持片１１０よりも外側に配置される。よって、例え整毛部４１０を基台部４２０から取り外して使用しても、台座部４２３と上挟持片１１０とで睫毛を挟むことができ、癖付けを行うことができる。
即ち取り替えアダプター４００を、いわゆる通常のビューラー用取り替えゴムとしても利用することができる。
【００３７】
前記着座部受け入れ凹部４２４は、着座部４１３の嵌入を許容するためのものである。この着座部受け入れ凹部４２４は、図６に示すように、着座部４１３が丁度入る大きさである。
また図５に示すように、着座部受け入れ凹部４２４は、整毛部４１０を基台部４２０の上面側に取り付けた状態において、着座部４１３の上面４１３ｂと台座部４２３とが面一となるような深さをなしている。このような構成とすることで、睫毛を整える際に、台座部４２３と着座部４１３との間に段差を生じさせることがない。よって睫毛の整毛を効果的に行うことができる。
【００３８】
前記嵌合用孔部４２５は、整毛部４１０を基台部４２０に着脱自在に取り付けるためのものである。この嵌合用孔部４２５は、図５に示すように、着座部受け入れ凹部４２４の底面４２４ａに開孔され、着座部受け入れ凹部４２４内において、整毛部４１０の嵌合用突片４１２と同一数及び同一間隔をもって複数個並列させて円弧形状に設けられている。
嵌合用孔部４２５には引っ掛け受け部４２５ａが設けられており、前記嵌合用孔部４２５に整毛部４１０の嵌合用突片４１２を挿入した際、該嵌合用突片４１２の先端の引っ掛け部４１２ａがこの引っ掛け受け部４２５ａに引っ掛かる。よって整毛部４１０を基台部４２０に容易に、且つ確実に結合して取り付けることができる。また複数箇所で固定するので、取り付け強度を増すことができる。
なお、基台部４２０は柔軟性のあるゴムであるので、整毛部１０を取り外す場合も、傷つけることなく、簡単に引っ掛け受け部４２５ａから引っ掛け部４１２ａを外すことができる。
このような構成とすることで、嵌合用突片４１２を嵌合用孔部４２５に嵌め合わせるだけで、容易且つ確実に整毛部４１０を基台部４２０の上面側に取り付けることができると共に、着座部４１３を基台部４２０上に着座させることができる。
【００３９】
なお整毛片４１１の数は、本実施形態のものに限るものではなく、適宜変更可能である。また隣接する整毛片４１１の間隔は、適宜変更可能であるが、睫毛の間隔を考慮して０．５ｍｍ間隔とすることが望ましい。
また嵌合用突片４１２及び嵌合用孔部４２５の数、形状は、本実施形態のものに限るものではなく、適宜変更可能である。また隣接する嵌合用突片４１２及び嵌合用孔部４２５の間隔も適宜変更可能である。
【産業上の利用可能性】
【００４０】
本発明はビューラー用取り替えアダプター及びビューラーとして、産業上の利用価値が高い。
【符号の説明】
【００４１】
１          ビューラー
１００      成形部
１１０      上挟持片
１１１      突起片
１２０      下挟持片
１２１      外側突壁
１２２      内側突壁
１２３      挿通穴
１２４      嵌入穴
２００      把持部
２１０      第１アーム
２１１      指穴
２２０      第２アーム
２２１      指穴
３００      連結機構部
３１０      支持体
３１１      嵌合穴
３２０      連動部材
３３０      ピン
４００      取り替えアダプター
４１０      整毛部
４１１      整毛片
４１１ａ    上部
４１２ｂ    下半部
４１１ｃ    下面
４１２      嵌合用突片
４１２ａ    引っ掛け部
４１３      着座部
４１３ａ    下面
４１３ｂ    上面
４２０      基台部
４２１      差し込み突部
４２２      差し込み溝部
４２２ａ    外側突片
４２３      台座部
４２４      着座部受け入れ凹部
４２４ａ    底面
４２５      嵌合用孔部
４２５ａ    引っ掛け受け部
【図１】
2010259539.tif 000003
【図２】
2010259539.tif 000004
【図３】
2010259539.tif 000005
【図４】
2010259539.tif 000006
【図５】
2010259539.tif 000007
【図６】
2010259539.tif 000008
【図７】
2010259539.tif 000009
【図８】
2010259539.tif 000010